(57)【要約】【課題】本発明は、場内の映像表示装置の画面を監視する係員を配置することなく、コンテンツサーバーの異常、操作ミス、伝送路の異常等の様々な映像信号の伝送異常検出を可能とする映像信号配信システムを提供する。【解決手段】本発明の映像信号配信システムは、映像コンテンツを作成すると共に映像コンテンツに伝送異常を検出するための検出情報を付加した映像信号を出力する映像コンテンツ作成装置と、検出情報が付加された映像信号を所定の間隔で画面情報として保存して比較することにより映像コンテンツの伝送異常を検出する映像監視装置と、を備えている。これにより、場内の映像表示装置の画面を監視する係員を配置することなく、様々な映像コンテンツの伝送異常を検出することが可能になる。【選択図】図１
2016171457.tif 000002
【特許請求の範囲】
【請求項１】
映像コンテンツ作成装置と、映像表示装置と、映像監視装置と、が伝送路を介して接続された映像信号配信システムであって、
前記映像コンテンツ作成装置は、映像コンテンツを作成すると共に、前記映像コンテンツに前記映像コンテンツの伝送異常を検出するための検出情報を付加した映像信号を出力し、
前記映像表示装置は、前記映像コンテンツに基づいて映像情報の画面表示を行い、
前記映像監視装置は、前記検出情報が付加された前記映像信号を所定の間隔で画面情報として保存して比較することにより前記映像コンテンツの伝送異常を検出することを特徴とする映像信号配信システム。
【請求項２】
前記映像コンテンツが静止画の場合、前記映像コンテンツ作成装置が前記静止画に付加する前記検出情報は、前記画面表示における視認できない位置に所定の間隔で点滅させるエリアを設ける情報であり、
前記映像監視装置は、前記映像信号を前記所定の間隔で画面情報として保存して比較することにより前記静止画における更新停止の異常を検出することを特徴とする請求項１に記載の映像信号配信システム。
【請求項３】
前記映像表示装置の表示画素数が前記映像信号の画素数よりも大きく、前記映像表示装置の画面の一部を使用し、他の部分は空きエリアとして黒色表示する場合、前記映像コンテンツ作成装置が前記映像信号に付加する前記検出情報は、前記空きエリアを常に黒色表示する情報であることを特徴とする請求項１に記載の映像信号配信システム。
【請求項４】
前記映像コンテンツ作成装置は、更に、
前記映像コンテンツの伝送異常の通報が入力されると異常を報知する伝送異常報知手段を有し、
前記映像監視装置は、更に、
前記映像コンテンツの伝送異常を検出すると、前記映像コンテンツ作成装置へ前記映像コンテンツの伝送異常の通報を出力することを特徴とする請求項１〜３のいずれか１項に記載の映像信号配信システム。
【請求項５】
映像コンテンツを伝送路を介して１又は複数の映像表示装置へ配信する映像信号配信システムにおける映像コンテンツ作成装置であって、
前記映像コンテンツ作成装置は、映像コンテンツを作成すると共に、前記映像コンテンツに前記映像コンテンツの伝送異常を検出するための検出情報を付加した映像信号を出力することを特徴とする映像コンテンツ作成装置。
【請求項６】
前記映像コンテンツ作成装置は、更に、
前記映像コンテンツの伝送異常の通報が入力されると異常を報知する伝送異常報知手段を有することを特徴とする請求項５に記載の映像コンテンツ作成装置。
【請求項７】
映像コンテンツを伝送路を介して１又は複数の映像表示装置へ配信する映像コンテンツの伝送異常を検出する映像監視装置であって、
前記映像監視装置は、
入力される映像信号を所定の間隔で画面情報として保存して比較することにより前記映像コンテンツの伝送異常を検出することを特徴とする映像監視装置。
【請求項８】
前記映像監視装置は、更に、
前記映像コンテンツの伝送異常を検出すると、前記映像コンテンツ作成装置へ前記映像コンテンツの伝送異常の通報を出力することを特徴とする請求項７に記載の映像監視装置。
【請求項９】
映像コンテンツ作成装置と、映像監視装置と、が伝送路を介して接続された映像信号配信システムにおける前記映像コンテンツの伝送異常を検出する方法であって、
映像コンテンツ作成装置が、映像コンテンツを作成すると共に、作成した映像コンテンツに表示異常を監視可能にするテストパターンを付加した映像信号を出力する第１処理と、
映像監視装置が、映像信号を画素毎に、色情報に展開した画面情報に変換し、画面情報を複数画面分保存する第２処理と、
映像監視装置が、映像信号に基づいて解像度を判定する第３処理と、
映像監視装置が、比較画像情報保存データを比較し、異常が発生しているか否かを検出する第４処理と、
映像監視装置が、前記第３処理の判定結果と信号フォーマット情報とを比較し、異常が発生しているか否かを検出する第５処理と、
前記第４処理又は／及び前記第５処理において異常が検出されたときに、映像監視装置から映像コンテンツ作成装置へ異常検出信号を出力する第６処理と、
を有することを特徴とする映像信号の伝送異常検出方法。
【発明の詳細な説明】
【技術分野】
【０００１】
本発明は、映像信号配信システム、映像コンテンツ作成装置、映像監視装置及び映像信号の伝送異常検出方法に関する。
【背景技術】
【０００２】
情報の伝送経路上の異常検出に関する文献として、例えば、下記特許文献１〜３のようなものがある。特許文献１には、複数の経路を用いた情報の伝送において、情報の伝送時に全ての経路の異常の有無を検査するシステムが提案されている。又、特許文献２には、デジタル放送設備において、簡易にデータ信号の冗長伝送系に異常があることを検出する監視装置および信号監視方法が提案されている。更に、特許文献３には、ネットワークに異常が発生しても安定した測定動作が継続できるデータ測定システムが提案されている。
【先行技術文献】
【特許文献】
【０００３】
【特許文献１】特開２０１０−１３００３８号公報
【特許文献２】特開２００７−２２１３４６号公報
【特許文献３】特開２００２−１６４９５８号公報
【発明の概要】
【発明が解決しようとする課題】
【０００４】
スタジアムや公営競技場では、場内の映像表示装置に多種多様な情報を表示している。映像表示装置に表示される映像コンテンツは、以下の(ａ)〜(ｃ)の原因で伝送されなかったり、劣化／ノイズ／レイアウト異常が発生したりすることがある。
(ａ)映像コンテンツを作成する装置であるコンテンツサーバーの故障
(ｂ)変換器や編集装置の故障、設定、操作ミス
(ｃ)伝送装置の故障、伝送路の異常
【０００５】
しかし、これらの不具合の検出は、場内の係員が目視により行われている。しかし、スタジアムや公営競技場内の設備の中には、監視する係員を配置することができず、不具合が発見されなかったり、不具合の発見が遅れたりするという課題があった。更に、映像コンテンツが静止画である場合の更新停止（フリーズ）のように、係員が目視で監視していても検出が難しい伝送異常も存在する。
【０００６】
そこで、本発明は、場内の映像表示装置の画面を監視する係員を配置することなく、（ａ）〜（ｃ）のような映像信号の伝送異常の検出を可能とする映像信号配信システム、映像コンテンツ作成装置、映像監視装置、及び映像信号の伝送異常検出方法を提供することを目的とする。
【課題を解決するための手段】
【０００７】
本発明の第１側面の映像信号配信システムは、映像コンテンツ作成装置と、映像表示装置と、映像監視装置と、が伝送路を介して接続された映像信号配信システムであって、前記映像コンテンツ作成装置は、映像コンテンツを作成すると共に、前記映像コンテンツに前記映像コンテンツの伝送異常を検出するための検出情報を付加した映像信号を出力し、前記映像表示装置は、前記映像コンテンツに基づいて映像情報の画面表示を行い、前記映像監視装置は、前記検出情報が付加された前記映像信号を所定の間隔で画面情報として保存して比較することにより前記映像コンテンツの伝送異常を検出することを特徴とする。
【０００８】
第２側面の映像コンテンツ作成装置は、映像コンテンツを伝送路を介して１又は複数の映像表示装置へ配信する映像信号配信システムにおける映像コンテンツ作成装置であって、前記映像コンテンツ作成装置は、映像コンテンツを作成すると共に、前記映像コンテンツに前記映像コンテンツの伝送異常を検出するための検出情報を付加した映像信号を出力することを特徴とする。
【０００９】
第３側面の映像監視装置は、映像コンテンツを伝送路を介して１又は複数の映像表示装置へ配信する映像コンテンツの伝送異常を検出する映像監視装置であって、前記映像監視装置は、入力される映像信号を所定の間隔で画面情報として保存して比較することにより前記映像コンテンツの伝送異常を検出することを特徴とする。
【００１０】
第４側面の映像信号の伝送異常検出方法は、映像コンテンツ作成装置と、映像監視装置と、が伝送路を介して接続された映像信号配信システムにおける前記映像コンテンツの伝送異常を検出する方法であって、映像コンテンツ作成装置が映像コンテンツを作成すると共に作成した映像コンテンツに表示異常を監視可能にするテストパターンを付加した映像信号を出力する第１処理と、映像監視装置が映像信号を画素毎に色情報に展開した画面情報に変換して画面情報を複数画面分保存する第２処理と、映像監視装置が映像信号に基づいて解像度を判定する第３処理と、映像監視装置が比較画像情報保存データを比較して異常が発生しているか否かを検出する第４処理と、映像監視装置が前記第３処理の判定結果と信号フォーマット情報とを比較して異常が発生しているか否かを検出する第５処理と、前記第４処理又は／及び前記第５処理において異常が検出されたときに前記映像監視装置から前記映像コンテンツ作成装置へ異常検出信号を出力する第６処理と、を有することを特徴とする。
【発明の効果】
【００１１】
本発明の映像信号配信システムは、映像コンテンツを作成すると共に映像コンテンツに伝送異常を検出するための検出情報を付加した映像信号を出力する映像コンテンツ作成装置と、映像信号を所定の間隔で画面情報として保存して比較することにより映像コンテンツの伝送異常を検出する映像監視装置と、を備えている。そして、映像監視装置が伝送異常を検出すると、映像コンテンツ作成装置へ異常の発生を通知する。これにより、場内の映像表示装置の画面を監視する係員を配置することなく、様々な映像コンテンツの伝送異常を検出することが可能になる。
【図面の簡単な説明】
【００１２】
【図１】本発明の実施形態の映像信号配信システムのシステム構成図
【図２】図１中の映像コンテンツ作成装置の機能ブロック図
【図３】図１中の映像監視装置の機能ブロック図
【図４】図３の映像監視装置における運用画面の監視条件の一例を示す図
【図５】図３の映像監視装置における設備保守時の監視条件の一例を示す図
【図６】従来の映像信号配信システムのシステム構成図
【図７】本発明の映像コンテンツ作成装置の処理を示すフローチャート
【図８】本発明の映像監視装置の処理を示すフローチャート
【図９】図８中の映像コンテンツ作成のサブルーチン処理を示すフローチャート
【図１０】本発明を静止画のフリーズ検出に適用した一例を説明する図
【図１１】本発明を空きエリア黒色表示の異常検出に適用した一例を説明する図
【発明を実施するための形態】
【００１３】
以下に本発明の実施形態について図面を参照しながら詳細に説明する。
【００１４】
（実施形態のシステム構成）
図１は、本発明の実施形態の映像信号配信システムのシステム構成図である。
【００１５】
映像信号配信システムは、文字列・音・動画等の放送用映像コンテンツ（以下、「映像コンテンツ」という。）を作成して出力する映像コンテンツ作成装置１０と、伝送路としての伝送線等を介して映像コンテンツが入力されるとパソコン用映像信号に変換して出力する映像受信器２０と、パソコン用映像信号が入力されると映像表示５１を備える受像機５０へパソコン用映像信号を出力すると共にＬＡＮ(Local Area Network)配線等を介して映像コンテンツ作成装置１０へ制御信号をフィードバックする映像監視装置３０と、を有している。
【００１６】
映像コンテンツ作成装置１０は、映像コンテンツを作成し、パソコン用映像信号として出力すると共に映像信号の検査、監視機能が追加されたコンテンツサーバー１１と、パソコン用映像信号を放送設備用映像信号に変換して出力する映像送出制御部１２と、映像監視装置３０からＬＡＮ配線等を介してフィードバックされる信号を制御信号に変換する等の機能を有する装置制御部１３と、を備えている。装置制御部１３が出力する制御信号は、コンテンツサーバー１１へ入力される。
【００１７】
映像監視装置３０は、パソコン用映像信号の映像情報を解析する映像情報解析部３１と、映像情報の解析結果を用いて映像異常を監視する映像異常監視部３２と、映像異常が検出されたときに映像コンテンツ作成装置１０へＬＡＮ配線等を介して異常を通知する通信インターフェースとしての機能を有する装置制御部３３を含んでいる。
【００１８】
（映像コンテンツ作成装置の構成）
図２は、図１中の映像コンテンツ作成装置の機能ブロック図である。
【００１９】
コンテンツサーバー１１は、運用画面を生成する運用画面生成部１１ａと、テストパターンを生成するテストパターン生成部１１ｂと、送出した映像の異常を監視する送出映像異常監視部１１ｃと、を有している。運用画面生成部１１ａは、カメラ、ＤＶＤ等から映像情報を入力する映像情報入力部１１ａ１と、テロップ等の文字情報を入力して生成するテロップ文字情報生成部１１ａ２と、文字情報を保存する文字情報保存部１１ａ３と、更新した監視パターンを生成する更新監視パターン生成部１１ａ４と、を有している。テストパターン生成部１１ｂは、テストパターンを保存しておくテストパターン保存部１１ｂ１を含んでいる。更に、送出映像異常監視部１１ｃは、映像異常が検出されたときに異常を通知する映像異常通知部１１ｃ１を含んでいる。
【００２０】
映像送出制御部１２は、映像情報入力部１１ａ１、更新監視パターン生成部１１ａ４及びテストパターン保存部１１ｂ１から入力される画像のうちの一つを選択して出力する画像切替部１２ａと、選択された画像を放送設備用映像信号に変換して出力する画像変換部１２ｂと、を有している。
【００２１】
更に、装置制御部１３は、ＬＡＮ配線等に対する通信インターフェースの機能を有する通信制御部１３ａと、装置全体を制御する制御部１３ｂと、動作条件を設定して保存する動作条件設定保存部１３ｃと、有している。制御部１３ｂは、通信制御部１３ａを介して映像監視装置３０から異常発生の通知を受けると、送出映像異常監視部１１ｃへ異常通知の信号を出力する。
【００２２】
（映像監視装置の構成）
図３は、図１中の映像監視装置の機能ブロック図である。
【００２３】
映像監視装置３０は、映像受信器２０から入力されるパソコン用映像信号を解析する映像情報解析部３１と、映像情報解析部３１の解析結果を自ら保持する情報とを対比して映像異常を監視する映像異常監視部３２と、装置全体を制御すると共に映像コンテンツ作成装置１０へ異常を通知等する装置制御部３３と、を有している。
【００２４】
映像情報解析部３１は、映像受信器２０から入力されるパソコン用映像信号の信号フォーマットを解析する信号フォーマット解析部３１ａと、パソコン用映像信号を保存する形式に変換して出力する映像信号変換部３１ｂと、映像信号変換部３１ｂにより保存する形式に変換された画像情報を保存する画面情報保存部３１ｃ，３１ｄと、を有している。
【００２５】
映像異常監視部３２は、信号フォーマット解析部３１ａから出力される信号フォーマットの解析結果と信号フォーマット情報保存部３２ｃに保存されている信号フォーマットを対比して信号フォーマットの異常を検出する信号フォーマット異常検出部３２ａと、画面情報保存部３１ｃ，３１ｄに保存されている画面情報とテストパターン情報保存部３２ｄに保存されているテストパターンを対比して映像の異常を検出する映像異常検出部３２ｂと、を有している。
【００２６】
装置制御部３３は、映像監視装置３０の内部状態や操作ガイドを表示すると共に操作を受け付ける操作・表示部３３ａと、監視条件を設定保存しておく監視条件設定保存部３３ｂと、装置全体を制御する制御部３３ｃと、映像コンテンツ作成装置１０へＬＡＮ配線等を介して通信する通信インターフェースとして機能する通信制御部３３ｄと、を有している。
【００２７】
図４は、図３の映像監視装置における運用画面の監視条件の一例を示す図である。
信号フォーマット情報保存部３２ｃには、例えば、解像度＝1024×768ドットが設定されている。又、監視条件設定保存部３３ｂには、例えば、無信号監視周期＝１秒、信号フォーマット監視周期＝１秒、画面更新監視周期＝１０秒、空き映像エリア監視周期＝１秒、及び空き映像エリアとして、空きエリア座標＝（0，480）〜(1024，768)が設定されている。
【００２８】
図５は、図３の映像監視装置における設備保守時の監視条件の一例を示す図である。
テストパターン情報保存部３２ｄには、例えば、パターンNO.01〜NO.05の設定パターンが保存されている。パターンNO.01は、赤色信号の確認に使用する全面赤のパターンであり、パターンNO.02は、緑色信号の確認に使用する全面緑のパターンであり、パターンNO.03は、青色信号の確認に使用する全面青のパターンであり、パターンNO.04は、各色の中間色の状態確認に使用するグラデーションのパターンであり、更に、パターンNO.05は、画面レイアウトの状態確認に使用するクロスハッチのパターンである。
【００２９】
（実施形態の動作）
本発明の実施形態の映像信号の伝送異常検出方法の動作について、（Ｉ）従来の映像信号配信システムと、（II）映像コンテンツ作成装置の処理と、（III）映像監視装置の処理と、（IV）本発明の静止画フリーズ検出への適用例と、（Ｖ）本発明の空きエリア黒色表示の異常検出の適用例と、に分けて説明する。
【００３０】
（Ｉ）従来の映像信号配信システム
図６（ａ），（ｂ）は、従来の映像信号配信システムのシステム構成図であり、図６（ａ）はパソコン用映像信号を伝送する場合の従来のシステム構成図であり、図６（ｂ）は放送設備用映像信号を伝送する場合の従来のシステム構成図である。
【００３１】
図６（ａ）に示された従来の映像信号配信システムは、映像コンテンツをパソコン用映像信号として出力するコンテンツサーバー１１Ａと、パソコン用映像信号を伝送線へ送信する映像送出制御部１２と、を有する映像コンテンツ作成装置１０Ａと、伝送線を介して映像送出制御部１２の出力が入力されるとパソコン用映像信号を出力する映像受信器２０と、パソコン用映像信号に基づいて表示を行う映像表示５１を有する受像機５０と、を有している。
【００３２】
図６（ｂ）に示された従来の映像信号配信システムは、映像コンテンツをパソコン用映像信号として出力するコンテンツサーバー１１Ａと、パソコン用映像信号を放送設備用映像信号に変換して伝送線に出力する映像変換器１５と、を有する映像コンテンツ作成装置１０Ｂと、放送設備用映像信号を編集して送出する編集/送出設備２１と、パソコン用映像信号に基づいて表示を行う映像表示５１を有する受像機５０と、により構成されている。編集/送出設備２１は、放送設備用映像信号が入力されると、映像を編集する映像編集器２２と、編集された映像をパソコン用映像信号として送出する映像送出器２３と、を有している。
【００３３】
図６に示された従来の映像信号配信システムは、図１中の映像監視装置３０を有しておらず、図６中のコンテンツサーバー１１Ａは、図１中のコンテンツサーバー１１が有する映像信号の検査・監視機能を有していない。そのため、従来の映像信号配信システムでは、映像信号の伝送異常を検出するためには、場内の係員が目視により行われている。しかし、スタジアムや公営競技場内の設備の中には、監視する係員を配置することができず、不具合が発見されなかったり、不具合の発見が遅れたりするという課題があった。更に、映像コンテンツが静止画である場合の更新停止（フリーズ）のように、係員が目視で監視していても検出が難しい伝送異常も存在する。
【００３４】
そこで、場内の映像表示装置の画面を監視する係員を配置することなく、映像信号の伝送異常の検出を可能とすべく、本発明の実施形態の映像信号配信システム、映像コンテンツ作成装置、映像監視装置、及び映像信号の伝送異常検出方法を以下に提案する。
【００３５】
（II）映像コンテンツ作成装置の処理
図７は、本発明の映像コンテンツ作成装置の処理を示すフローチャートである。
【００３６】
図１及び図２を参照しつつ、図７に示されたフローチャートに従って、映像コンテンツ作成装置１０の処理の内容について説明する。
【００３７】
映像コンテンツ作成装置１０の処理が開始されると、ステップＳ１へ進む。ステップＳ１において、図示しない操作部から動作モードが選択されると、ステップＳ２へ進む。ステップＳ２において、制御部１３ｂは、選択された動作モードが設備運用モードか否かを判断し、設備運用モードであれば(YES)、ステップＳ３へ進む。尚、設備運用モードでない場合は(NO)、後述する。
【００３８】
ステップＳ３に進むと、設備運用の一連の処理が行われ、ステップＳ４へ進む。ここで、映像コンテンツ作成装置１０における設備運用の一連の処理は以下の通りである。
【００３９】
図２において、コンテンツサーバー１１は、表示運用スケジュールに基づいて、映像情報入力部１１ａ１及びテロップ文字情報生成部１１ａ２から入力されるデータを選択する。送出するデータが文字情報（静止画）の場合は、更新監視パターン生成部１１ａ４でデータに更新監視パターンを付加する。この更新監視パターンは、例えば、画面表示を見る人の視認性に影響を与えない、肉眼では気にならない位置に一定時間の間隔で点滅するエリアを設けるパターンである。更新監視パターンを付加した静止画データ及び映像情報データは、画像変換部１２ｂで映像信号に変換され送出される。装置制御部１３の通信制御部１３ａは、映像監視装置３０と通信を行い、監視状況の確認を行う。監視状況の結果は、送出映像異常監視部１１ｃに送られ、異常発生を表示画面や警報音等により、係員に通知する。
【００４０】
以上の一連の処理が映像コンテンツ作成装置１０における設備運用の処理として繰り返される。
【００４１】
ステップＳ４に進むと、制御部１３ｂによる異常監視が行われ、ステップＳ５へ進む。ステップＳ４における異常監視とは、具体的には、映像監視装置３０からのエラー発生の通知を待ち受ける処理である。ステップＳ５において、制御部１３ｂは、エラー発生の通知がなしと判断すると(NO)、ステップＳ５を繰り返す。また、エラー発生の通知があると判断すると(YES)、ステップＳ９へ進む。
【００４２】
ステップＳ９に進むと、制御部１３ｂは、放送送出異常監視部１１ｃ内の映像異常通知部１１ｃ１を介して、例えば、表示、警報音等により異常発生を通知し、処理を終了する。
【００４３】
次に、ステップＳ２における制御部１３ｂの判断が設備運用モードでなければ(NO)、ステップＳ６へ進む。ステップＳ６に進むと、設備試験の一連の処理が行われ、ステップＳ７へ進む。ここで、映像コンテンツ作成装置１０における設備試験の一連の処理は以下の通りである。
【００４４】
図２において、コンテンツサーバー１１のテストパターン保存部１１ｂ１に保存されているテストパターンのデータから試験に用いるテストパターンのデータを選択する。選択したテストパターンのデータは、画像変換部１２ｂで映像信号に変換し送出される。装置制御部１３の通信制御部１３ａは、映像監視装置３０と通信にて送出したテストパターンの通信を行い、試験状況の確認を行う。試験結果は、映像異常通知部１１ｃ１に送られ、異常発生を表示画面や警報音等により、係員に通知する。以上の一連の処理が映像コンテンス作成装置１０における設備試験の処理である。尚、複数回試験を行う場合は、設備試験の一連の処理を複数回繰り返す。
【００４５】
ステップＳ７に進むと、制御部１３ｂは、映像送出制御部１２からテストパターンを送出すると共にテストパターンを映像受信器２０を介して映像監視装置３０へ通知し、ステップＳ８へ進む。
【００４６】
ステップＳ８において、制御部１３ｂは、エラー発生の通知があるか否かを判断し、エラー発生の通知がない場合は(NO)、ステップＳ７へ戻り、エラー発生の通知があるまで、ステップＳ７，Ｓ８の処理を繰り返し、エラー発生の通知があると判断すると(YES)、ステップＳ９へ進む。
【００４７】
ステップＳ９に進むと、制御部１３ｂは、放送送出異常監視部１１ｃ内の映像異常通知部１１ｃ１を介して、例えば、表示、警報音等により異常発生を通知し、処理を終了する。
【００４８】
尚、ステップＳ３における設備運用の一連の処理には、映像コンテンツ作成の処理が含まれているが、この処理により作成された映像コンテンツを映像コンテンツ作成装置１０の監視処理に直接用いないため、図７のフローチャートでは、映像コンテンツの作成処理は省略されている。映像コンテンツ作成の処理については、作成された映像コンテンツを監視処理に直接用いる映像監視装置３０の処理の説明の中で後述する。
【００４９】
（III）映像監視装置の処理
図８は、本発明の映像監視装置の処理を示すフローチャートであり、図９は、図８中のコンテンツ作成のサブルーチンの処理を示すフローチャートである。
【００５０】
図１、図３〜図５を参照しつつ、図８に示されたフローチャートに従って、映像監視装置３０の処理の内容について説明する。
【００５１】
映像監視装置３０の処理が開始されると、ステップＳ１１へ進む。ステップＳ１１において、操作・表示部３３ａから動作モードが選択されると、ステップＳ１２へ進む。ステップＳ１２において、制御部３３ｃは、選択された動作モードが設備運用モードか否かを判断し、設備運用モードであれば(YES)、ステップＳ１３へ進む。
【００５２】
ステップＳ１３に進むと、設備運用の一連の処理が行われ、ステップＳ１４へ進む。ここで、映像監視装置３０における設備運用の一連の処理は以下の通りである。
【００５３】
図３において、映像監視装置３０は、監視条件設定保存部３３ｂの設定に基づいて、入力映像信号に異常がないかを監視する。
【００５４】
無信号の監視では、信号フォーマット解析部３１ａで入力映像信号の同期信号が入力されているかを確認し、同期信号が入力されていなければ無信号異常と判定する。
【００５５】
信号フォーマットの監視では、信号フォーマット解析部３１ａで入力映像信号の同期信号を解析し、信号フォーマット情報保存部３２ｃの設定値と比較し、異なれば解像度異常と判定する。
【００５６】
画面更新監視では、画面情報保存部３１ｃ,３１ｄに一定周期で入力映像信号から生成した画面情報を保存する。この画面情報を比較し差異がなければ更新停止（フリーズ）異常と判定する。
【００５７】
空き映像エリア監視では、画面情報保存部３１ｃ,３１ｄに一定周期で入力映像信号から生成した画面情報を保存する。この画像情報のうち監視条件設定保存部３３ｂで設定されたエリアが黒色表示であることを確認し、設定エリアが黒色でなければノイズ発生と判断する。映像コンテンツ作成装置１０から監視状況確認があれば、結果を応答する。以上の一連の処理が映像監視装置３０における設備運用の処理として繰り返される。
【００５８】
ステップＳ１４に進むと、制御部３３ｃは、無信号状態か否かを判断し、無信号状態でなければ(NO)、ステップＳ１５へ進み、無信号状態であれば(YES)、ステップＳ２２へ進む。
【００５９】
ステップＳ１５に進むと、制御部３３ｃは、映像フォーマットは正常か否かを判断し、
正常であれば(YES)、ステップＳ１６へ進み、正常でなければ(NO)、ステップＳ２２へ進む。
【００６０】
ステップＳ１６において、制御部３３ｃは、画面にノイズが発生していないかを判断し、ノイズが発生していなければ(YES)、ステップＳ１７へ進み、ノイズが発生していれば(NO)、ステップＳ２２へ進む。
【００６１】
ステップＳ１７に進むと、後述する映像コンテンツ作成装置１０における映像コンテンツ作成の処理が行われ、ステップＳ１８へ進む。ステップＳ１８において、制御部３３ｃは、ステップＳ１７で作成された映像コンテンツの入力データが定期的に更新されたデータか否かを判断し、定期的に更新されたものであれば(YES)、ステップＳ１４へ戻り、定期的に更新されたものでなければ(NO)、ステップＳ２２へ進む。
【００６２】
ステップＳ１２において、制御部３３ｃが設備運用モードでないと判断し(NO)、ステップＳ１９へ進むと、設備試験の一連の処理が行われ、ステップＳ２０へ進む。ここで、映像監視装置３０における設備試験の一連の処理は以下の通りである。
【００６３】
図３において、映像監視装置３０は、映像コンテンツ作成装置１０から映像受信器２０を経由して、テストパターンの通知を受けると、画面情報保存部３１ｃ，３１ｄに入力映像信号から生成した画像情報を保存する。テストパターン情報保存部３２ｄに予め保存しておいた画面情報と、画面情報保存部３１ｃ，３１ｄの画面情報を比較し、差異が有れば異常発生と判定する。そして、映像コンテンツ作成装置１０に判定結果を応答する。以上の一連の処理を映像コンテンツ作成装置１０からテストパターンの通知を受ける毎に繰り返す。
【００６４】
ステップＳ２０に進むと、制御部３３ｃは、映像異常検出部３２ｂに画面情報保存部３１ｃ，３１ｄに保存されているテストパターンを選択させ、ステップＳ２１へ進む。ステップＳ２１において、映像異常検出部３２ｂは、選択したテストパターンとテストパターン情報保存部３２ｄに保存されているパターンと差異があるか否かを判断し、差異がなければ(NO)、ステップＳ２０へ戻り、差異があれば(YES)、ステップＳ２２へ進む。ステップＳ２１における選択したテストパターンと保存されているパターンと差異があるか否かの判断は、例えば、赤色信号の確認に使用する場合は、選択したテストパターンと図５中のテストパターン０１とを対比して行われる。
【００６５】
ステップＳ２２へ進むと、制御部３３ｃは、通信制御部３３ｄを介して、映像コンテンツ作成装置１０へ異常発生を通知し、映像監視装置３０の処理を終了する。
【００６６】
図９は、図８中のステップＳ１７の映像コンテンツ作成のサブルーチン処理を示すフローチャートである。
【００６７】
ステップＳ１７のサブルーチン処理が開始されると、ステップＳ３１へ進む。ステップＳ３１において、映像コンテンツ作成装置１０内の運用画面生成部１１ａは、映像情報入力部１１ａ１から入力されるＤＶＤ、カメラ等による映像データと、テロップ文字情報生成部１１ａ２から入力される文字情報とに基づいて映像コンテンツが作成され、ステップＳ３２へ進む。
【００６８】
ステップＳ３２において、制御部１３ｂは、作成された映像コンテンツの送出データが静止画か否かを判断し、静止画でなければ(NO)、ステップＳ３２を繰り返し、静止画であれば(YES)、ステップＳ３３へ進み、映像送出制御部１２が静止画に更新監視パターンを付加し、図８中のステップＳ１７のサブルーチン処理を終了する。
【００６９】
（IV）本発明の静止画フリーズ検出への適用例
図１０（ａ），（ｂ）は、本発明を静止画のフリーズ検出に適用した一例を説明する図であり、図１０（ａ）は、図１０（ｂ）に示されている画面の左上部分を拡大し表示例である。図１０（ａ）の左上隅の肉眼では見えない位置で□のマークが点滅しているのが観測される。
【００７０】
図１０（ｂ）には、競馬におけるオッズが表示されている。点滅して表示される□のマークは、オッズ表示の文字の大きさに較べ十分狭い領域であり、ファンが注目して見る表示エリアから離れた左上隅の位置であるため、ファンは肉眼で視認することはできない。
【００７１】
このように、画面の左上隅の肉眼では見えない位置に点滅する□のマークを付加し、この□のマークが定期的に点滅しているか否かを映像異常監視部３２で監視することにより、静止画が正しく表示されているのか、映像がフリーズして静止画のように表示されているのかを検出することができる。
【００７２】
（Ｖ）本発明の空きエリア黒色表示の異常検出の適用例
図１１は、本発明を空きエリア黒色表示の異常検出に適用した一例を説明する図である。
【００７３】
図１１に示された表示例は、大型映像装置向け送出画面の例であり、左上隅をＸＹ座標の原点（０，０）としたとき、０≦Ｘ≦５００かつ０≦Ｙ≦４８０の領域に競馬の中継画像が表示され、５００≦Ｘ≦１０２４かつ０≦Ｙ≦４８０の領域にカラーテストパターンが表示され、０≦Ｘ≦１０２４かつ４８０≦Ｙ≦７６８の領域（空エリア）に全面黒の表示がされている。
【００７４】
図１において、受像機５０が大型映像装置の場合、映像表示５１の一部のエリアを使用してパソコン用映像信号による画面表示を行ない、映像表示５１の他のエリアは空エリアとして黒色表示にすることがある。この場合、映像監視装置３０は、この空エリアが常に黒色かを監視することにより、画面全体のノイズ発生を検知することができる。
【００７５】
（実施形態の効果）
本実施形態の映像信号配信システムによれば、映像コンテンツ作成装置は、映像コンテンツを作成すると共に、映像コンテンツに映像コンテンツの伝送異常を検出するための検出情報を付加した映像信号を出力し、映像監視装置は、映像信号を一定時間の間隔で画面情報として保存して比較することにより映像コンテンツの伝送異常を検出する。これにより、場内の映像表示装置の画面を監視する係員を配置することなく、映像信号の伝送異常の検出を可能となる。
【００７６】
本実施形態の映像信号配信システムによれば、映像コンテンツが静止画の場合、映像コンテンツ作成装置が静止画に付加する検出情報を、画面表示における人目に影響しない位置に一定時間の間隔で点滅させるエリアを設ける情報としている。これにより、画面表示の運用を続けたまま、係員が目視で監視していても検出が難しいフリーズによる偽の静止画を検出することが可能になる。
【００７７】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００７８】
１０，１０Ａ，１０Ｂ                                映像コンテンツ作成装置
１１，１１Ａ                                        コンテンツサーバ
１１ａ                                              運用画面生成部
１１ａ１                                            映像情報入力部
１１ａ２                                            テロップ文字情報生成部
１１ａ３                                            文字情報保存部
１１ａ４                                            更新監視パターン生成部
１１ｂ                                              テストパターン生成部
１１ｂ１                                            テストパターン保存部
１１ｃ                                              送出映像異常監視部
１１ｃ１                                            映像異常通知部
１２                                                映像送出制御部
１２ａ                                              画像切替部
１２ｂ                                              画像変換部
１３，３３                                          装置制御部
１３ａ，３３ｄ                                      通信制御部
１３ｂ，３３ｃ                                      制御部
１３ｃ                                              動作条件設定保存部
１５                                                映像変換器
２０                                                映像受信器
２１                                                編集/送出設備
２２                                                映像編集器
２３                                                映像送出器
３０                                                映像監視装置
３１                                                映像情報解析部
３１ａ                                              信号フォーマット解析部
３１ｂ                                              映像信号変換部
３１ｃ，３１ｄ                                      画面情報保存部
３２                                                映像異常監視部
３２ａ                                              信号フォーマット異常検出部
３２ｂ                                              映像異常検出部
３２ｃ                                              信号フォーマット情報保存部
３２ｄ                                              テストパターン情報保存部
３３ａ                                              操作・表示部
３３ｂ                                              監視条件設定保存部
５０                                                受像機
５１                                                映像表示
【図１】
2016171457.tif 000003
【図２】
2016171457.tif 000004
【図３】
2016171457.tif 000005
【図４】
2016171457.tif 000006
【図６】
2016171457.tif 000007
【図７】
2016171457.tif 000008
【図８】
2016171457.tif 000009
【図９】
2016171457.tif 000010
【図５】
2016171457.tif 000011
【図１０】
2016171457.tif 000012
【図１１】
2016171457.tif 000013